(57)【要約】【課題】間仕切壁を確実かつ十分に補強できる間仕切壁補強構造を提供すること。【解決手段】間仕切壁補強構造３０は、天井下の間仕切壁１０を補強する。この間仕切壁補強構造３０は、天井裏空間で吊りボルト２１に支持されて間仕切壁１０の頂部に沿って略水平に延びる支持材３１２と、間仕切壁１０の頂部に沿って設けられた一対の頭繋ぎ３２と、頭繋ぎ３２に固定されてかつ天井面材２４を貫通して天井裏空間に至る振れ止め金物３３と、振れ止め金物３３と支持材３１２とを連結する環状ワイヤー３４と、を備える。【選択図】図２
2014005642.tif 000002
【特許請求の範囲】
【請求項１】
天井下の間仕切壁の転倒を防止する間仕切壁補強構造であって、
天井裏空間で吊りボルトに支持されて前記間仕切壁の頂部に沿って略水平に延びる支持材と、
前記間仕切壁の頂部に沿って設けられた頭繋ぎと、
当該頭繋ぎに固定されてかつ天井面を貫通して天井裏空間に至る振れ止め金物と、
当該振れ止め金物と前記支持材とを連結する環状ワイヤーと、を備えることを特徴とする間仕切壁補強構造。
【請求項２】
前記天井面には、前記振れ止め金物が貫通する貫通孔が形成され、
当該天井面の貫通孔と前記振れ止め金物との間には、隙間が形成されることを特徴とする請求項１に記載の間仕切壁補強構造。
【請求項３】
頂部が天井面に接合された間仕切壁の転倒を防止する間仕切壁補強構造であって、
天井裏空間で構造体に取り付けられた吊ボルトと、前記間仕切壁の頂部とが、冶具を介して連結されていることを特徴とする間仕切壁補強構造。
【発明の詳細な説明】
【技術分野】
【０００１】
本発明は、間仕切壁補強構造に関する。詳しくは、地震による揺れに耐え、転倒を防止できるように既存の間仕切壁を補強する間仕切壁補強構造に関する。
【背景技術】
【０００２】
従来より、頂部が構造体ではなく天井下地に支持される天井下の間仕切壁がある（特許文献１参照）。この天井下の間仕切壁では、地震で揺れて倒れるのを防止するため、間仕切壁を耐震補強することが行われる。
【０００３】
すなわち、間仕切壁は、軽量鉄骨下地と、この軽量鉄骨下地の両面に張られた壁面材と、からなる。軽量鉄骨下地は、天井面および床面に取り付けられたランナーと、これら上下のランナー間に所定間隔で建て込まれた角スタッドと、からなる。
この間仕切壁では、耐震補強として、軽量鉄骨下地のランナーと天井裏の構造体との間を、補強材で連結し、溶接により固定している。
【先行技術文献】
【特許文献】
【０００４】
【特許文献１】特開２００６−２３３６５２号公報
【発明の概要】
【発明が解決しようとする課題】
【０００５】
しかしながら、既存の建物の天井に上述のような耐震補強を行う場合、天井裏空間には空調ダクト、衛生配管、照明設備の配線などが既に収容されているので、必要な箇所に補強材を取り付けることができない場合が多く、十分な補強を行うのは困難であった。
また、溶接を行うと火花が発生するため、火花養生が大がかりとなり、間仕切壁の近傍で居住者が執務していると施工できない、という問題があった。
【０００６】
本発明は、間仕切壁を確実かつ十分に補強できる間仕切壁補強構造を提供することを目的とする。
【課題を解決するための手段】
【０００７】
請求項１に記載の間仕切壁補強構造（例えば、後述の間仕切壁補強構造３０、３０Ａ）は、天井下の間仕切壁（例えば、後述の間仕切壁１０）を補強する間仕切壁補強構造であって、天井裏空間で吊りボルト（例えば、後述の吊りボルト２１）に支持されて前記間仕切壁の頂部に沿って略水平に延びる支持材（例えば、後述の支持材３１２）と、前記間仕切壁の頂部に沿って設けられた頭繋ぎ（例えば、後述の頭繋ぎ３２、３２Ａ）と、当該頭繋ぎに固定されてかつ天井面（例えば、後述の天井面材２４）を貫通して天井裏空間に至る振れ止め金物（例えば、後述の振れ止め金物３３、３３Ａ）と、当該振れ止め金物と前記支持材とを連結する環状ワイヤー（例えば、後述の環状ワイヤー３４）と、を備えることを特徴とする。
【０００８】
この発明によれば、間仕切壁の頂部は、頭繋ぎ、振れ止め金物、環状ワイヤー、および支持材を介して、吊りボルトに連結されるので、大きな揺れが間仕切壁に作用しても、この間仕切壁が転倒するのを防止できる。
【０００９】
また、既存の間仕切壁を補強する場合、天井裏空間では配管や配線を避けて支持材を取り付けるだけでよいので、間仕切壁を確実かつ十分に補強できる。
また、溶接を用いないので、間仕切壁の近傍で居住者が執務していても、確実に施工できる。
【００１０】
請求項２に記載の間仕切壁補強構造は、前記天井面には、前記振れ止め金物が貫通する貫通孔（例えば、後述の貫通孔２４１）が形成され、当該天井面の貫通孔と前記振れ止め金物との間には、隙間が形成されることを特徴とする。
【００１１】
この発明によれば、天井面の貫通孔と振れ止め金物との間に隙間を形成したので、地震動により天井面が大きく揺れても、間仕切壁は天井面の揺れの影響を受けないので、間仕切壁が転倒するのを確実に防止できる。
【００１２】
請求項３に記載の間仕切壁補強構造は、頂部が天井面に接合された間仕切壁の転倒を防止する間仕切壁補強構造であって、天井裏空間で構造体に取り付けられた吊ボルトと、前記間仕切壁の頂部とが、冶具（例えば、後述の頭繋ぎ３２、振れ止め金物３３、環状ワイヤー３４、および支持架構３１）を介して連結されていることを特徴とする。
【発明の効果】
【００１３】
本発明によれば、間仕切壁の頂部は、頭繋ぎ、振れ止め金物、環状ワイヤー、および支持材を介して、吊りボルトに連結されるので、大きな揺れが間仕切壁に作用しても、この間仕切壁が転倒するのを防止できる。また、既存の間仕切壁を補強する場合、天井裏空間では配管や配線を避けて支持材を取り付けるだけでよいので、間仕切壁を確実かつ十分に補強できる。また、溶接を用いないので、間仕切壁の近傍で居住者が執務していても、確実に施工できる。
【図面の簡単な説明】
【００１４】
【図１】本発明の第１実施形態に係る間仕切壁補強構造が適用された間仕切壁の側面図である。
【図２】図１のＡ−Ａ断面図である。
【図３】本発明の第２実施形態に係る間仕切壁補強構造が適用された間仕切壁の断面図である。
【発明を実施するための形態】
【００１５】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る間仕切壁補強構造３０が適用された間仕切壁１０の側面である。図２は、図１のＡ−Ａ断面図である。
【００１６】
間仕切壁１０は、既存建物１の天井２０の下に設けられて、頂部が既存建物１の天井２０の天井面に接合しており、間仕切壁補強構造３０で転倒が防止されている。
【００１７】
天井２０は、在来天井であり、上階の構造体としての床躯体から吊り下げられた吊りボルト２１と、この吊りボルト２１に支持されて略水平に延びる野縁受け２２と、略水平でかつ野縁受け２２に交差する方向に延びるとともに野縁受け２２に支持される野縁２３と、この野縁２３の下面に張り付けられた天井面材２４と、を備える。
【００１８】
野縁受け２２を吊りボルト２１に螺合されたハンガー２１１に嵌め込むことで、野縁受け２２が吊りボルト２１に支持される。
また、野縁受け２２と野縁２３とが交差する箇所では、これら野縁受け２２と野縁２３との間に図示しないクリップを嵌め込むことで、野縁２３が野縁受け２２に支持される。
【００１９】
間仕切壁１０は、野縁受け２２に略平行に延びており、軽量鉄骨下地１１と、この軽量鉄骨下地１１の両面に張られた壁面材１２と、を備える。
軽量鉄骨下地１１は、野縁２３および図示しない床面に取り付けられたランナー１１１と、これら上下のランナー１１１間に所定間隔で建て込まれた角スタッド１１２と、からなる。
【００２０】
間仕切壁補強構造３０は、天井裏空間で吊りボルト２１支持された支持架構３１と、間仕切壁１０の頂部に沿って設けられた一対の頭繋ぎ３２と、この頭繋ぎ３２に固定されてかつ天井２０の天井面材２４を貫通して天井裏空間に至る振れ止め金物３３と、振れ止め金物３３と支持架構３１とを連結する環状ワイヤー３４と、を備える。
【００２１】
支持架構３１は、野縁受け２２に沿った方向に隣り合う吊りボルト２１間に架設された一対の吊りボルト連結材３１１と、これら吊りボルト連結材３１１間に架設されて吊りボルト連結材３１１に直交しかつ間仕切壁１０の頂部に沿って略水平に延びる支持材３１２と、を備える。
【００２２】
吊りボルト連結材３１１は、穴明きアングルであり、Ｕバンド３１３で吊りボルト２１に固定されている。
支持材３１２は、穴明きアングルであり、吊りボルト連結材３１１にボルト固定されている。
【００２３】
一対の頭繋ぎ３２は、間仕切壁１０の両面に設けられており、所定間隔置きに設けられた繋ぎボルト３２１で互いに連結されている。
この一対の頭繋ぎ３２は、化粧カバー３２２で覆われている。
【００２４】
振れ止め金物３３は、頭繋ぎ３２に沿って所定間隔置きに千鳥に設けられて、この頭繋ぎ３２にビスで固定されている。振れ止め金物３３は、平板状であり、この振れ止め金物３３の上端側には、貫通孔３３１が形成されている。
天井面材２４には、振れ止め金物３３が貫通する貫通孔２４１が形成され、天井面材２４の貫通孔２４１と振れ止め金物３３との間には、隙間が形成されている。
【００２５】
環状ワイヤー３４は、直線状のワイヤーを、支持材３１２の穴および振れ止め金物３３の貫通孔３３１に挿通して、ワイヤーロック３４１でかしめることで、支持材３１２と振れ止め金物３３とを連結する。
【００２６】
このように、間仕切壁１０の頂部は、頭繋ぎ３２、振れ止め金物３３、環状ワイヤー３４、および支持架構３１を介して、吊りボルト２１に連結されている。
【００２７】
以上の間仕切壁補強構造３０を既存の間仕切壁１０に取り付ける手順について説明する。
まず、間仕切壁１０に頭繋ぎ３２を取り付けて、次に、天井面材２４を貫通して振れ止め金物３３を取り付ける。次に、天井裏空間にて、支持架構３１を取り付ける。そして、環状ワイヤー３４で振れ止め金物３３と支持架構３１とを連結する。
【００２８】
本実施形態によれば、以下のような効果がある。
（１）間仕切壁１０の頂部は、頭繋ぎ３２、振れ止め金物３３、環状ワイヤー３４、および支持架構３１を介して、吊りボルト２１に連結されるので、大きな揺れが間仕切壁１０に作用しても、この間仕切壁１０が転倒するのを防止できる。
【００２９】
また、既存の間仕切壁１０を補強する場合、天井裏空間では配管や配線を避けて支持架構３１を取り付けるだけでよいので、間仕切壁１０を確実かつ十分に補強できる。
また、溶接を用いないので、間仕切壁１０の近傍で居住者が執務していても、確実に施工できる。
【００３０】
（２）支持架構３１を、互いに直交する吊りボルト連結材３１１と支持材３１２とで構成したので、任意の位置に支持材３１２を設けることができ、間仕切壁１０の位置に柔軟に対応できる。
【００３１】
〔第２実施形態〕
図３は、本発明の第２実施形態に係る間仕切壁補強構造３０Ａが適用された間仕切壁１０の断面図である。
本実施形態では、頭繋ぎ３２Ａおよび振れ止め金物３３Ａの構造が、第１実施形態と異なる。
すなわち、頭繋ぎ３２Ａは、間仕切壁１０の片面にのみ設けられている。
また、振れ止め金物３３Ａは、断面略クランク状であり、頭繋ぎ３２Ａに沿って間仕切壁１０の片面にのみ設けられている。
【００３２】
本実施形態によれば、上述の（１）と同様の効果がある。
【００３３】
なお、本発明は前記実施形態に限定されるものではなく、本発明の目的を達成できる範囲での変形、改良等は本発明に含まれるものである。
また、上述の各実施形態では、天井２０を在来天井としたが、これに限らず、システム天井にも適用できる。
また、上述の各実施形態では、間仕切壁１０を、上下のランナー１１１と角スタッド１１２を壁面材１２で挟み込む、いわゆる在来壁としたが、これに限らず、本発明は、スチールパーテーションやアルミパーテーションにも適用できる。
【符号の説明】
【００３４】
１…既存建物
１０…間仕切壁
１１…軽量鉄骨下地
１２…壁面材
２０…天井
２１…吊りボルト
２２…野縁受け
２３…野縁
２４…天井面材
３０、３０Ａ…間仕切壁補強構造
３１…支持架構
３２、３２Ａ…頭繋ぎ
３３、３３Ａ…振れ止め金物
３４…環状ワイヤー
１１１…ランナー
１１２…角スタッド
２１１…ハンガー
２４１…貫通孔
３１１…ボルト連結材
３１２…支持材
３１３…Ｕバンド
３２１…繋ぎボルト
３２２…化粧カバー
３３１…貫通孔
３４１…ワイヤーロック
【図１】
2014005642.tif 000003
【図２】
2014005642.tif 000004
【図３】
2014005642.tif 000005